(57)【要約】【課題】携帯端末から通行者個人情報を読み取るとともに、通行者数データを日時や場所，個人情報と気象情報やイベント情報とを組み合わせた形で提供する。【解決手段】動態情報収集装置２０が通行者携帯端末１０のＲＦＩＤ１１から個人情報を収集し、収集日時情報および収集場所情報とともに動態情報管理サーバ３０に送信し、動態情報管理サーバ３０が各動態情報収集装置から受信した情報を動態情報データベース３２１に蓄積するとともに、各地域の気象情報やイベント情報を環境情報データベース３２２に登録し、動態情報管理サーバ３０が予め定めた条件または要求条件により動態情報データベース３２１，環境情報データベース３２２を参照し、収集期間，場所と個人情報，気象情報，イベント情報の少なくともいずれかとの組み合わせによる通行者数データを検索，集計し提供する。【選択図】      図１
2004362038.tif 000002
【特許請求の範囲】
【請求項１】
通行者が携帯する通行者携帯端末と、データ収集場所に設置された動態情報収集装置と、動態情報管理サーバと、前記動態情報収集装置および前記動態情報管理サーバを相互に接続するネットワークとを備えた携帯端末を利用した通行者動態調査・提供システムであって、
前記通行者携帯端末は、通行者の個人情報を予め記録した無線タグを内蔵し、前記動態情報収集装置からの質問波を受信したときに個人情報を送信する手段を有し、
前記動態情報収集装置は、一定時間毎に質問波を発信し前記通行者携帯端末から個人情報を受信する無線タグ読取手段と、受信した個人情報を収集日時情報および収集場所情報とともに前記動態情報管理サーバに送信する手段とを有し、
前記動態情報管理サーバは、各動態情報収集装置から受信した収集日時情報，収集場所情報，個人情報を内部に備えた動態情報データベースに蓄積する手段と、予め定めた条件または閲覧者から要求された条件により前記動態情報データベースを参照し該当通行者数データを検索，集計して提供する手段とを有することを特徴とする携帯端末を利用した通行者動態調査・提供システム。
【請求項２】
通行者が携帯する通行者携帯端末と、データ収集場所に設置された動態情報収集装置と、動態情報管理サーバと、前記動態情報収集装置および前記動態情報管理サーバを相互に接続するネットワークとを備えた携帯端末を利用した通行者動態調査・提供システムであって、
前記通行者携帯端末は、通行者の個人情報を予め記録した無線タグを内蔵し、前記動態情報収集装置からの質問波を受信したときに個人情報を送信する手段を有し、
前記動態情報収集装置は、一定時間毎に質問波を発信し前記通行者携帯端末から個人情報を受信する無線タグ読取手段と、受信した個人情報を収集日時情報および収集場所情報とともに前記動態情報管理サーバに送信する手段とを有し、
前記動態情報管理サーバは、各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、予め定めた条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記ネットワーク上に開設された通行者動態情報提供サイトに閲覧可能に公開する手段とを有することを特徴とする携帯端末を利用した通行者動態調査・提供システム。
【請求項３】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えた携帯端末を利用した通行者動態調査・提供システムであって、
前記通行者携帯端末は、通行者の個人情報を予め記録した無線タグを内蔵し、前記動態情報収集装置からの質問波を受信したときに個人情報を送信する手段を有し、
前記動態情報収集装置は、一定時間毎に質問波を発信し前記通行者携帯端末から個人情報を受信する無線タグ読取手段と、受信した個人情報を収集日時情報および収集場所情報とともに前記動態情報管理サーバに送信する手段とを有し、
前記動態情報管理サーバは、各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、前記取引先端末から指定された要求条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記取引先端末に送信する手段とを有し、
前記取引先端末は、前記動態情報管理サーバにアクセスし要求条件を送信してデータ提供を要求する手段と、提供データを受信する手段とを有することを特徴とする携帯端末を利用した通行者動態調査・提供システム。
【請求項４】
前記動態情報管理サーバは、前記取引先端末から予め要求条件を受信して内部の要求条件データベースに登録しておき、定期的に前記要求条件データベースを参照し、登録された要求条件により前記通行者数データを検索，集計して前記取引先端末に送信することを特徴とする請求項３記載の携帯端末を利用した通行者動態調査・提供システム。
【請求項５】
前記動態情報管理サーバは、前記取引先端末からアクセスされ要求条件を受信する都度、リアルタイムに要求条件により前記通行者数データを検索，集計して前記取引先端末に送信することを特徴とする請求項３記載の携帯端末を利用した通行者動態調査・提供システム。
【請求項６】
前記個人情報は、性別，年齢，職業，居住地区の情報を含むことを特徴とする請求項１，２，３，４または５記載の携帯端末を利用した通行者動態調査・提供システム。
【請求項７】
前記個人情報は、性別，生年月日，職業，居住地区の情報を含み、前記動態情報収集装置は受信した個人情報に含まれる生年月日から通行者の現在の年齢を算出する手段をさらに有し、受信した個人情報を前記動態情報管理サーバに送信するときに、生年月日を年齢に置き換えた個人情報を送信するようにしたことを特徴とする請求項１，２，３，４または５記載の携帯端末を利用した通行者動態調査・提供システム。
【請求項８】
前記個人情報は、性別，生年月日，職業，居住地区の情報を含み、前記動態情報管理サーバは受信した個人情報に含まれる生年月日から通行者の現在の年齢を算出する手段をさらに有し、受信した個人情報を前記動態情報データベースに蓄積するときに、生年月日を年齢に置き換えた個人情報を蓄積するようにしたことを特徴とする請求項１，２，３，４または５記載の携帯端末を利用した通行者動態調査・提供システム。
【請求項９】
前記通行者携帯端末は、携帯電話機，ＰＨＳまたはＰＤＡであることを特徴とする請求項１〜８のいずれか１項記載の携帯端末を利用した通行者動態調査・提供システム。
【請求項１０】
通行者が携帯する通行者携帯端末と、データ収集場所に設置された動態情報収集装置と、動態情報管理サーバと、前記動態情報収集装置および前記動態情報管理サーバを相互に接続するネットワークとを備えたシステムにおける動態情報管理サーバであって、
各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、予め定めた条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記ネットワーク上に開設された通行者動態情報提供サイトに閲覧可能に公開する手段とを有することを特徴とする動態情報管理サーバ。
【請求項１１】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバであって、
各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、前記取引先端末から予め要求条件を受信して内部の要求条件データベースに登録しておく手段と、定期的に前記要求条件データベースを参照し、登録された要求条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記取引先端末に送信する手段とを有することを特徴とする動態情報管理サーバ。
【請求項１２】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバであって、
各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、前記取引先端末からアクセスされ要求条件を受信する都度、リアルタイムに要求条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記取引先端末に送信する手段とを有することを特徴とする動態情報管理サーバ。
【請求項１３】
前記個人情報は、性別，生年月日，職業，居住地区の情報を含み、受信した個人情報に含まれる生年月日から通行者の現在の年齢を算出する手段をさらに有し、受信した個人情報を前記動態情報データベースに蓄積するときに、生年月日を年齢に置き換えた個人情報を蓄積するようにしたことを特徴とする請求項１０，１１または１２記載の動態情報管理サーバ。
【請求項１４】
通行者が携帯する通行者携帯端末と、データ収集場所に設置された動態情報収集装置と、動態情報管理サーバと、前記動態情報収集装置および前記動態情報管理サーバを相互に接続するネットワークとを備えたシステムにおける携帯端末を利用した通行者動態調査・提供方法であって、
前記動態情報収集装置が一定時間毎に質問波を発信するステップと、通行者の個人情報を予め記録した無線タグを内蔵した前記通行者携帯端末が、質問波を受信して個人情報を送信するステップと、前記動態情報収集装置が前記通行者携帯端末から個人情報を受信するステップと、前記動態情報収集装置が受信した個人情報を収集日時情報および収集場所情報とともに前記動態情報管理サーバに送信するステップと、前記動態情報管理サーバが各動態情報収集装置から受信した収集日時情報，収集場所情報，個人情報を内部に備えた動態情報データベースに蓄積するステップと、前記動態情報管理サーバが各地域の気象情報やイベント情報を内部に備えた環境情報データベースに登録するステップと、予め定めた条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記ネットワーク上に開設された通行者動態情報提供サイトに閲覧可能に公開するステップとを有することを特徴とする携帯端末を利用した通行者動態調査・提供方法。
【請求項１５】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける携帯端末を利用した通行者動態調査・提供方法であって、
前記動態情報収集装置が一定時間毎に質問波を発信するステップと、通行者の個人情報を予め記録した無線タグを内蔵した前記通行者携帯端末が、質問波を受信して個人情報を送信するステップと、前記動態情報収集装置が前記通行者携帯端末から個人情報を受信するステップと、前記動態情報収集装置が受信した個人情報を収集日時情報および収集場所情報とともに前記動態情報管理サーバに送信するステップと、前記動態情報管理サーバが各動態情報収集装置から受信した収集日時情報，収集場所情報，個人情報を内部に備えた動態情報データベースに蓄積するステップと、前記動態情報管理サーバが各地域の気象情報やイベント情報を内部に備えた環境情報データベースに登録するステップと、前記動態情報管理サーバが前記取引先端末から予め要求条件を受信して内部の要求条件データベースに登録するステップと、前記動態情報管理サーバが定期的に前記要求条件データベースを参照し、登録された要求条件により前記動態情報データベース，前記環境情報データベースを参照し、収集期間，場所と個人情報，気象情報，イベント情報の少なくともいずれかとの組み合わせによる通行者数データを検索，集計するステップと、検索，集計されたデータを前記動態情報管理サーバが前記取引先端末に送信するステップとを有することを特徴とする携帯端末を利用した通行者動態調査・提供方法。
【請求項１６】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける携帯端末を利用した通行者動態調査・提供方法であって、
前記動態情報収集装置が一定時間毎に質問波を発信するステップと、通行者の個人情報を予め記録した無線タグを内蔵した前記通行者携帯端末が、質問波を受信して個人情報を送信するステップと、前記動態情報収集装置が前記通行者携帯端末から個人情報を受信するステップと、前記動態情報収集装置が受信した個人情報を収集日時情報および収集場所情報とともに前記動態情報管理サーバに送信するステップと、前記動態情報管理サーバが各動態情報収集装置から受信した収集日時情報，収集場所情報，個人情報を内部に備えた動態情報データベースに蓄積するステップと、前記動態情報管理サーバが各地域の気象情報やイベント情報を内部に備えた環境情報データベースに登録するステップと、前記動態情報管理サーバが、前記取引先端末からアクセスされ要求条件を受信する都度、リアルタイムに要求条件により前記動態情報データベース，前記環境情報データベースを参照し、収集期間，場所と個人情報，気象情報，イベント情報の少なくともいずれかとの組み合わせによる通行者数データを検索，集計するステップと、検索，集計されたデータを前記動態情報管理サーバが前記取引先端末に送信するステップとを有することを特徴とする携帯端末を利用した通行者動態調査・提供方法。
【請求項１７】
通行者が携帯する通行者携帯端末と、データ収集場所に設置された動態情報収集装置と、動態情報管理サーバと、前記動態情報収集装置および前記動態情報管理サーバを相互に接続するネットワークとを備えたシステムにおける動態情報管理サーバに適用されるプログラムであって、
各動態情報収集装置から受信した収集日時情報，収集場所情報，個人情報を内部に備えた動態情報データベースに蓄積する機能、各地域の気象情報やイベント情報を内部に備えた環境情報データベースに登録する機能、予め定めた条件により前記動態情報データベース，前記環境情報データベースを参照し、収集期間，場所と個人情報，気象情報，イベント情報の少なくともいずれかとの組み合わせによる通行者数データを検索，集計する機能、検索，集計されたデータを前記ネットワーク上に開設された通行者動態情報提供サイトに閲覧可能に公開する機能、をコンピュータに実現させるためのプログラム。
【請求項１８】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバに適用されるプログラムであって、
各動態情報収集装置から受信した収集日時情報，収集場所情報，個人情報を内部に備えた動態情報データベースに蓄積する機能、各地域の気象情報やイベント情報を内部に備えた環境情報データベースに登録する機能、前記取引先端末から予め要求条件を受信して内部の要求条件データベースに登録しておく機能、定期的に前記要求条件データベースを参照し、登録された要求条件により前記動態情報データベース，前記環境情報データベースを参照し、収集期間，場所と個人情報，気象情報，イベント情報の少なくともいずれかとの組み合わせによる通行者数データを検索，集計する機能、検索，集計されたデータを前記取引先端末に送信する機能、をコンピュータに実現させるためのプログラム。
【請求項１９】
通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバに適用されるプログラムであって、
各動態情報収集装置から受信した収集日時情報，収集場所情報，個人情報を内部に備えた動態情報データベースに蓄積する機能、各地域の気象情報やイベント情報を内部に備えた環境情報データベースに登録する機能、前記取引先端末からアクセスされ要求条件を受信する都度、リアルタイムに要求条件により前記動態情報データベース，前記環境情報データベースを参照し、収集期間，場所と個人情報，気象情報，イベント情報の少なくともいずれかとの組み合わせによる通行者数データを検索，集計する機能、検索，集計されたデータを前記取引先端末に送信する機能、をコンピュータに実現させるためのプログラム。
【発明の詳細な説明】
【０００１】
【発明の属する技術分野】
本発明は、携帯端末を利用した通行者動態調査・提供システム，方法，動態情報管理サーバおよびプログラムに関し、特に無線タグを内蔵した携帯端末を利用した通行者動態調査・提供システム，方法，動態情報管理サーバおよびプログラムに関する。
【０００２】
【従来の技術】
通行者の動態情報は、人の来店や通行によって販売状況が左右される企業や店舗にとって非常に重要なものである。従来、この動態情報を収集するために、収集したい道路上やビル内の適当な場所を選択し、人数をカウントする作業員を各場所に配置して、通行する人数や個人情報（性別，年齢層等）を数個のカウンターを操作することにより収集していた。しかし、この方法では、性別や年齢等の判断を作業員が行うことやカウンターの操作ミス、人数の数え間違い等を考慮すると、データの正確性に欠ける面があることは免れない。また、データ収集時に各場所に作業員を配置して行うため、人件費がかかる問題や、定常的，継続的なデータ収集には適さないという問題があった。
【０００３】
これに対し、データ収集を人手（作業員）によらず自動化した例としては、特開２００２−３３４１９７号公報（特許文献１）の人流量調査システムおよび人流量調査方法がある。この特許文献１に記載の発明においては、以下に示す技術が開示されている。まず、調査会社は人流量データ収集に協力してくれる通行者に無線携帯端末を貸与し、通行者にアンケートを行って個人情報を貸与した無線携帯端末のＩＤに対応させてデータベースセンターに記憶させる。そして、無線携帯端末を貸与された通行者が調査会社により各調査場所に設置された小規模無線基地局との通信範囲を通行すると、無線携帯端末から小規模無線基地局に無線携帯端末ＩＤを送信し、小規模無線基地局は日時，無線携帯端末ＩＤおよび小規模無線基地局ＩＤをデータベースセンターに送信する。データベースセンターにおいては、これらの情報をデータベースに保存しておき、別途取引先からの情報提供依頼があったときに、データベースを検索して必要な情報を取得し、取引先に提供する。
【０００４】
【特許文献１】
特開２００２−３３４１９７号公報（段落［００１７］〜［００３６］、図３、図４）
【０００５】
【発明が解決しようとする課題】
上述した特許文献１に記載の発明においては、調査会社が協力してくれる人に対して無線携帯端末を貸与し、その無線携帯端末を携帯している人だけが調査対象として限定されるため、他の多くの通行者が調査対象から洩れてしまう結果、得られたデータの信頼性に難点があるという問題がある。
【０００６】
また、特許文献１に記載の発明においては、データベースセンターには日時，無線携帯端末ＩＤおよび小規模無線基地局ＩＤのデータと、無線携帯端末ＩＤ対応の個人情報のデータとが記憶されているため、日時や場所，個人情報に基づく分類データを提供することはできるが、天気や気温，イベント開催等の環境条件を組み合わせた分類データの提供については何ら考慮されていない。
【０００７】
本発明は、以上の問題を解決する、携帯端末を利用した通行者動態調査・提供システム，方法，動態情報管理サーバおよびプログラムを提供することを目的とする。
【０００８】
【課題を解決するための手段】
本発明の第１の携帯端末を利用した通行者動態調査・提供システムは、通行者が携帯する通行者携帯端末と、データ収集場所に設置された動態情報収集装置と、動態情報管理サーバと、前記動態情報収集装置および前記動態情報管理サーバを相互に接続するネットワークとを備えた携帯端末を利用した通行者動態調査・提供システムであって、
前記通行者携帯端末は、通行者の個人情報を予め記録した無線タグを内蔵し、前記動態情報収集装置からの質問波を受信したときに個人情報を送信する手段を有し、
前記動態情報収集装置は、一定時間毎に質問波を発信し前記通行者携帯端末から個人情報を受信する無線タグ読取手段と、受信した個人情報を収集日時情報および収集場所情報とともに前記動態情報管理サーバに送信する手段とを有し、
前記動態情報管理サーバは、各動態情報収集装置から受信した収集日時情報，収集場所情報，個人情報を内部に備えた動態情報データベースに蓄積する手段と、予め定めた条件または要求された条件により前記動態情報データベースを参照し該当通行者数データを検索，集計して提供する手段とを有する。
【０００９】
本発明の第２の携帯端末を利用した通行者動態調査・提供システムは、通行者が携帯する通行者携帯端末と、データ収集場所に設置された動態情報収集装置と、動態情報管理サーバと、前記動態情報収集装置および前記動態情報管理サーバを相互に接続するネットワークとを備えた携帯端末を利用した通行者動態調査・提供システムであって、
前記通行者携帯端末は、通行者の個人情報を予め記録した無線タグを内蔵し、前記動態情報収集装置からの質問波を受信したときに個人情報を送信する手段を有し、
前記動態情報収集装置は、一定時間毎に質問波を発信し前記通行者携帯端末から個人情報を受信する無線タグ読取手段と、受信した個人情報を収集日時情報および収集場所情報とともに前記動態情報管理サーバに送信する手段とを有し、
前記動態情報管理サーバは、各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、予め定めた条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記ネットワーク上に開設された通行者動態情報提供サイトに閲覧可能に公開する手段とを有する。
【００１０】
本発明の第３の携帯端末を利用した通行者動態調査・提供システムは、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えた携帯端末を利用した通行者動態調査・提供システムであって、
前記通行者携帯端末は、通行者の個人情報を予め記録した無線タグを内蔵し、前記動態情報収集装置からの質問波を受信したときに個人情報を送信する手段を有し、
前記動態情報収集装置は、一定時間毎に質問波を発信し前記通行者携帯端末から個人情報を受信する無線タグ読取手段と、受信した個人情報を収集日時情報および収集場所情報とともに前記動態情報管理サーバに送信する手段とを有し、
前記動態情報管理サーバは、各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、前記取引先端末から指定された要求条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記取引先端末に送信する手段とを有し、
前記取引先端末は、前記動態情報管理サーバにアクセスし要求条件を送信してデータ提供を要求する手段と、提供データを受信する手段とを有する。
【００１１】
本発明の第４の携帯端末を利用した通行者動態調査・提供システムは、本発明の第３の携帯端末を利用した通行者動態調査・提供システムにおいて、前記動態情報管理サーバは、前記取引先端末から予め要求条件を受信して内部の要求条件データベースに登録しておき、定期的に前記要求条件データベースを参照し、登録された要求条件により前記通行者数データを検索，集計して前記取引先端末に送信することを特徴とする。
【００１２】
本発明の第５の携帯端末を利用した通行者動態調査・提供システムは、本発明の第３の携帯端末を利用した通行者動態調査・提供システムにおいて、前記動態情報管理サーバは、前記取引先端末からアクセスされ要求条件を受信する都度、リアルタイムに要求条件により前記通行者数データを検索，集計して前記取引先端末に送信することを特徴とする。
【００１３】
本発明の第６の携帯端末を利用した通行者動態調査・提供システムは、本発明の第１，第２，第３，第４または第５の携帯端末を利用した通行者動態調査・提供システムにおいて、前記個人情報は、性別，年齢，職業，居住地区の情報を含むことを特徴とする。
【００１４】
本発明の第７の携帯端末を利用した通行者動態調査・提供システムは、本発明の第１，第２，第３，第４または第５の携帯端末を利用した通行者動態調査・提供システムにおいて、前記個人情報は、性別，生年月日，職業，居住地区の情報を含み、前記動態情報収集装置は受信した個人情報に含まれる生年月日から通行者の現在の年齢を算出する手段をさらに有し、受信した個人情報を前記動態情報管理サーバに送信するときに、生年月日を年齢に置き換えた個人情報を送信するようにしたことを特徴とする。
【００１５】
本発明の第８の携帯端末を利用した通行者動態調査・提供システムは、本発明の第１，第２，第３，第４または第５の携帯端末を利用した通行者動態調査・提供システムにおいて、前記個人情報は、性別，生年月日，職業，居住地区の情報を含み、前記動態情報管理サーバは受信した個人情報に含まれる生年月日から通行者の現在の年齢を算出する手段をさらに有し、受信した個人情報を前記動態情報データベースに蓄積するときに、生年月日を年齢に置き換えた個人情報を蓄積するようにしたことを特徴とする。
【００１６】
本発明の第９の携帯端末を利用した通行者動態調査・提供システムは、本発明の第１〜第８のいずれかの携帯端末を利用した通行者動態調査・提供システムにおいて、前記通行者携帯端末は、携帯電話機，ＰＨＳまたはＰＤＡであることを特徴とする。
【００１７】
本発明の第１の動態情報管理サーバは、通行者が携帯する通行者携帯端末と、データ収集場所に設置された動態情報収集装置と、動態情報管理サーバと、前記動態情報収集装置および前記動態情報管理サーバを相互に接続するネットワークとを備えたシステムにおける動態情報管理サーバであって、
各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、予め定めた条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記ネットワーク上に開設された通行者動態情報提供サイトに閲覧可能に公開する手段とを有する。
【００１８】
本発明の第２の動態情報管理サーバは、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバであって、
各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、前記取引先端末から予め要求条件を受信して内部の要求条件データベースに登録しておく手段と、定期的に前記要求条件データベースを参照し、登録された要求条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記取引先端末に送信する手段とを有する。
【００１９】
本発明の第３の動態情報管理サーバは、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバであって、
各動態情報収集装置から受信した収集日時情報，収集場所情報，個人情報を内部に備えた動態情報データベースに蓄積する手段と、各地域の気象情報やイベント情報を内部に備えた環境情報データベースに登録する手段と、前記取引先端末からアクセスされ要求条件を受信する都度、リアルタイムに要求条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記取引先端末に送信する手段とを有する。
【００２０】
本発明の第４の動態情報管理サーバは、本発明の第１，第２または第３の動態情報管理サーバにおいて、前記個人情報は、性別，生年月日，職業，居住地区の情報を含み、受信した個人情報に含まれる生年月日から通行者の現在の年齢を算出する手段をさらに有し、受信した個人情報を前記動態情報データベースに蓄積するときに、生年月日を年齢に置き換えた個人情報を蓄積するようにしたことを特徴とする。
【００２１】
本発明の第１の携帯端末を利用した通行者動態調査・提供方法は、通行者が携帯する通行者携帯端末と、データ収集場所に設置された動態情報収集装置と、動態情報管理サーバと、前記動態情報収集装置および前記動態情報管理サーバを相互に接続するネットワークとを備えたシステムにおける携帯端末を利用した通行者動態調査・提供方法であって、
前記動態情報収集装置が一定時間毎に質問波を発信するステップと、通行者の個人情報を予め記録した無線タグを内蔵した前記通行者携帯端末が、質問波を受信して個人情報を送信するステップと、前記動態情報収集装置が前記通行者携帯端末から個人情報を受信するステップと、前記動態情報収集装置が受信した個人情報を収集日時情報および収集場所情報とともに前記動態情報管理サーバに送信するステップと、前記動態情報管理サーバが各動態情報収集装置から受信した収集日時情報，収集場所情報，個人情報を内部に備えた動態情報データベースに蓄積するステップと、前記動態情報管理サーバが各地域の気象情報やイベント情報を内部に備えた環境情報データベースに登録するステップと、予め定めた条件により前記動態情報データベース，前記環境情報データベースを参照し、収集期間，場所と個人情報，気象情報，イベント情報の少なくともいずれかとの組み合わせによる通行者数データを検索，集計する手段と、検索，集計されたデータを前記ネットワーク上に開設された通行者動態情報提供サイトに閲覧可能に公開するステップとを有する。
【００２２】
本発明の第２の携帯端末を利用した通行者動態調査・提供方法は、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける携帯端末を利用した通行者動態調査・提供方法であって、
前記動態情報収集装置が一定時間毎に質問波を発信するステップと、通行者の個人情報を予め記録した無線タグを内蔵した前記通行者携帯端末が、質問波を受信して個人情報を送信するステップと、前記動態情報収集装置が前記通行者携帯端末から個人情報を受信するステップと、前記動態情報収集装置が受信した個人情報を収集日時情報および収集場所情報とともに前記動態情報管理サーバに送信するステップと、前記動態情報管理サーバが各動態情報収集装置から受信した収集日時情報，収集場所情報，個人情報を内部に備えた動態情報データベースに蓄積するステップと、前記動態情報管理サーバが各地域の気象情報やイベント情報を内部に備えた環境情報データベースに登録するステップと、前記動態情報管理サーバが前記取引先端末から予め要求条件を受信して内部の要求条件データベースに登録するステップと、前記動態情報管理サーバが定期的に前記要求条件データベースを参照し、登録された要求条件により前記動態情報データベース，前記環境情報データベースを参照し、収集期間，場所と個人情報，気象情報，イベント情報の少なくともいずれかとの組み合わせによる通行者数データを検索，集計するステップと、検索，集計されたデータを前記動態情報管理サーバが前記取引先端末に送信するステップとを有する。
【００２３】
本発明の第３の携帯端末を利用した通行者動態調査・提供方法は、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける携帯端末を利用した通行者動態調査・提供方法であって、
前記動態情報収集装置が一定時間毎に質問波を発信するステップと、通行者の個人情報を予め記録した無線タグを内蔵した前記通行者携帯端末が、質問波を受信して個人情報を送信するステップと、前記動態情報収集装置が前記通行者携帯端末から個人情報を受信するステップと、前記動態情報収集装置が受信した個人情報を収集日時情報および収集場所情報とともに前記動態情報管理サーバに送信するステップと、前記動態情報管理サーバが各動態情報収集装置から受信した収集日時情報，収集場所情報，個人情報を内部に備えた動態情報データベースに蓄積するステップと、前記動態情報管理サーバが各地域の気象情報やイベント情報を内部に備えた環境情報データベースに登録するステップと、前記動態情報管理サーバが、前記取引先端末からアクセスされ要求条件を受信する都度、リアルタイムに要求条件により前記動態情報データベース，前記環境情報データベースを参照し、収集期間，場所と個人情報，気象情報，イベント情報の少なくともいずれかとの組み合わせによる通行者数データを検索，集計するステップと、検索，集計されたデータを前記動態情報管理サーバが前記取引先端末に送信するステップとを有する。
【００２４】
本発明の第１のプログラムは、通行者が携帯する通行者携帯端末と、データ収集場所に設置された動態情報収集装置と、動態情報管理サーバと、前記動態情報収集装置および前記動態情報管理サーバを相互に接続するネットワークとを備えたシステムにおける動態情報管理サーバに適用されるプログラムであって、
各動態情報収集装置から受信した収集日時情報，収集場所情報，個人情報を内部に備えた動態情報データベースに蓄積する機能、各地域の気象情報やイベント情報を内部に備えた環境情報データベースに登録する機能、予め定めた条件により前記動態情報データベース，前記環境情報データベースを参照し、収集期間，場所と個人情報，気象情報，イベント情報の少なくともいずれかとの組み合わせによる通行者数データを検索，集計する機能、検索，集計されたデータを前記ネットワーク上に開設された通行者動態情報提供サイトに閲覧可能に公開する機能、をコンピュータに実現させる。
【００２５】
本発明の第２のプログラムは、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバに適用されるプログラムであって、
各動態情報収集装置から受信した収集日時情報，収集場所情報，個人情報を内部に備えた動態情報データベースに蓄積する機能、各地域の気象情報やイベント情報を内部に備えた環境情報データベースに登録する機能、前記取引先端末から予め要求条件を受信して内部の要求条件データベースに登録しておく機能、定期的に前記要求条件データベースを参照し、登録された要求条件により前記動態情報データベース，前記環境情報データベースを参照し、収集期間，場所と個人情報，気象情報，イベント情報の少なくともいずれかとの組み合わせによる通行者数データを検索，集計する機能、検索，集計されたデータを前記取引先端末に送信する機能、をコンピュータに実現させる。
【００２６】
本発明の第３のプログラムは、通行者が携帯する通行者携帯端末と、データ収集場所に設置された動態情報収集装置と、動態情報管理サーバと、取引先端末と、前記動態情報収集装置，前記動態情報管理サーバおよび前記取引先端末を相互に接続するネットワークとを備えたシステムにおける動態情報管理サーバに適用されるプログラムであって、
各動態情報収集装置から受信した収集日時情報，収集場所情報，個人情報を内部に備えた動態情報データベースに蓄積する機能、各地域の気象情報やイベント情報を内部に備えた環境情報データベースに登録する機能、前記取引先端末からアクセスされ要求条件を受信する都度、リアルタイムに要求条件により前記動態情報データベース，前記環境情報データベースを参照し、収集期間，場所と個人情報，気象情報，イベント情報の少なくともいずれかとの組み合わせによる通行者数データを検索，集計する機能、検索，集計されたデータを前記取引先端末に送信する機能、をコンピュータに実現させる。
【００２７】
【発明の実施の形態】
本発明の実施の形態について図面を参照して詳細に説明する。
【００２８】
図１は、本発明の一実施の形態の構成を示す図であり、通行者携帯端末１０と、動態情報収集装置２０と、動態情報管理サーバ３０と、取引先端末４０と、動態情報収集装置２０，動態情報管理サーバ３０，取引先端末４０を相互に接続するインターネット等のネットワーク１００とを備えている。
【００２９】
通行者携帯端末１０は、通行者が所有している携帯電話機，ＰＨＳ（Ｐｅｒｓｏｎａｌ  Ｈａｎｄｙｐｈｏｎｅ  Ｓｙｓｔｅｍ），ＰＤＡ（Ｐｅｒｓｏｎａｌ  Ｄｉｇｉｔａｌ  Ａｓｓｉｓｔａｎｎｃｅ）等の携帯端末である。この通行者携帯端末１０は、マイクロ波を発信するＲＦＩＤ（Ｒａｄｉｏ  Ｆｒｅｑｕｅｎｃｙ  Ｉｄｅｎｔｉｆｉｃａｔｉｏｎ：無線タグ）１１を内蔵しており、このＲＦＩＤ１１には、例えば携帯端末の契約時に携帯端末通信事業者により個人情報（性別，生年月日，職業，居住地区等）が記録される。
【００３０】
動態情報収集装置２０は、通行者携帯端末１０から個人情報の収集を行うために、通行者動態調査業者によりそれぞれの収集場所に設置される装置であり、無線により通行者携帯端末１０やインターネット等のネットワーク１００と接続される。この動態情報収集装置２０は、制御部２１と、ＩＤタグリーダー２２と、計時部２３とを備えている。制御部２１は、例えばプログラムにより制御されるＣＰＵであり、ＩＤタグリーダー２２から受信した個人情報に含まれる生年月日と計時部２３から取得した現在年月日とから年齢を算出する機能と、生年月日を年齢に置き換えた個人情報，収集日時情報を、予め内部メモリに設定された収集場所情報とともに、動態情報管理サーバ３０に送信する機能とを備えている。ＩＤタグリーダー２２は、計時部２３を参照し一定時間間隔（例えば、１０秒毎）で質問波を発信し、帰ってきた通信範囲内（例えば、数メートル以内）の携帯端末１０のＲＦＩＤ１１からの応答波を受信し個人情報を読み取る機能と、読み取った個人情報を収集日時情報とともに制御部２１にに渡す機能とを備えている。計時部２３は、年月日，曜日等のカレンダー情報や現在時刻を表わす時計情報を生成する機能を備えている。
【００３１】
動態情報管理サーバ３０は、通行者動態調査業者により備えられるワークステーション・サーバ等の情報処理装置である。この動態情報管理サーバ３０は、制御部３１と、記憶装置３２とを備えている。制御部３１は、例えばＣＰＵであり、プログラムによりその動作を制御され、動態情報収集装置２０から送信された動態情報の蓄積，検索，集計や検索，集計結果の情報提供を行う。記憶装置３２は、例えばＲＡＭ等の記憶装置であり、この記憶装置３２には、動態情報データベース３２１と、環境情報データベース３２２と、動態情報収集装置データベース３２３と、要求条件データベース３２４とが記憶される。
【００３２】
動態情報データベース３２１には、図２（動態情報データベース３２１に格納されるデータの一例を示す図）に示すように、動態情報収集装置２０のＩＤ（識別番号等），データ収集日時，通行者の個人情報（性別，年齢，職業，居住地区等）がそれぞれ対応して記憶される。なお、この個人情報は通行中に自動収集されるため、通行者のプライバシー等を考慮し、データ検索，提供に必要かつ開示可能な内容に限定し、これらの情報から通行者本人を特定できない程度の情報に留めるものとする。従って、住所ではなく居住地区とし、この居住地区も市町村単位の情報（例えば、横浜市等）としてある。
【００３３】
環境情報データベース３２２には、図３（環境情報データベース３２２に格納されるデータの一例を示す図）に示すように、地区毎の気象情報（地区，年月日，時間帯に対応した天気，気温，湿度等）や、イベント情報（イベント開催日時，イベント内容，開催地域等）が記憶される。
【００３４】
動態情報収集装置データベース３２３には、図４（動態情報収集装置データベース３２３に格納されるデータの一例を示す図）に示すように、各動態情報収集装置２０の動態情報収集装置ＩＤ，設置地域，設置場所等がそれぞれ対応して予め記憶されており、動態情報収集装置２０から送られる動態情報収集装置ＩＤを基に動態情報収集装置２０の設置地域，設置場所を特定することができる。
【００３５】
要求条件データベース３２４には、図５（要求条件データベース３２４に格納されるデータの一例を示す図）に示すように、取引先業者（分析データの提供先）の取引先ＩＤ，メールアドレス，要求条件，対象地域等がそれぞれ対応して記憶される。
【００３６】
取引先端末４０は、通行者動態調査業者から通行者動態情報の提供を受ける企業や店舗等の取引先に設置された、パーソナルコンピュータ等の情報処理装置である。この取引先端末４０は、動態情報管理サーバ３０にアクセスして定期的配信を希望するデータに関する要求条件を登録する機能と、定期的配信データを受信する電子メール機能と、動態情報管理サーバ３０にアクセスしてデータ閲覧やデータ検索を行う機能とを備えている。
【００３７】
次に、本発明の一実施の形態の動作について図面を参照して説明する。
【００３８】
最初に、通行者動態情報の収集処理について図１，図２，図３，図４および図６を参照して説明する。図６は、本発明の一実施の形態における通行者動態情報の収集処理の動作を示すフローチャートである。
【００３９】
図６を参照すると、事前準備として、通行者携帯端末１０に内蔵したＲＦＩＤ１１に所有者の個人情報をインプットする。ＲＦＩＤ１１には、例えば、携帯端末の契約時に携帯端末通信事業者により特定の個人情報が記録される。この通行者動態調査に関わる個人情報は、多くの企業，店舗等の取引先が必要とする種別のデータで、かつ、通行者のプライバシー等を考慮し、これらの情報から通行者本人を特定できない程度の情報（例えば図２に示す、性別，生年月日，職業，居住地区等）とする（ステップＡ１）。
【００４０】
次に、通行者動態調査業者は、データ収集を行いたい地域（例えば、○○商店街）における動態情報収集装置２０の設置場所を決定し、決定されたＡＡ商店前やＢＢ会館前等の歩道やビルのフロアに動態情報収集装置２０を設置する（ステップＡ２）。なお、各動態情報収集装置２０を設置した地域，場所については、通行者動態調査業者が動態情報管理サーバ３０の動態情報収集装置データベース３２３に登録しておく（図４参照）。
【００４１】
データ収集場所に設置された動態情報収集装置２０のＩＤタグリーダー２２は、計時部２３を参照し一定時間間隔（例えば、１０秒間隔）で質問波を発信する。そして、この質問波の通信距離範囲を通行中の通行者が携帯する携帯端末１０は、ＲＦＩＤ１１に予め記録された個人情報を質問波に対する応答波として送信する。動態情報収集装置２０のＩＤタグリーダー２２は、この通行者の個人情報（図６に示す、性別，生年月日，職業，居住地区）を読み取り、計時部２３から取得したデータ収集日時とともに、制御部２１に通知する（ステップＡ３）。
【００４２】
動態情報収集装置２０の制御部２１は、個人情報に含まれる生年月日と計時部２３から取得した現在の年月日とから、通行者の現在の年齢を算出する。そして、生年月日を算出した年齢に置き換えた個人情報（性別，年齢，職業，居住地区）と、収集日時情報と、予め内部メモリに設定された収集場所情報とを、図示しない携帯端末無線ネットワークおよびインターネット等のネットワーク１００を介して動態情報管理サーバ３０に送信する（ステップＡ４）。
【００４３】
動態情報管理サーバ３０においては、各動態情報収集装置２０から受信した動態情報収集装置ＩＤ，収集日時情報，通行者の個人情報を動態情報データベース３２１にその都度格納，蓄積し、データベースを更新する（図２参照）（ステップＡ５）。
【００４４】
また、以上説明した動態情報収集装置２０によるデータ収集とは別に、通行者動態調査業者は、各地区の日別・時間帯別の気象情報（天気，気温，湿度等）やイベント情報を入手し、環境情報データベース３２２に登録する（図３参照）（ステップＡ６）。
【００４５】
次に、通行者動態情報の提供処理について図１〜図５および図７を参照して説明する。図７は、本発明の一実施の形態における通行者動態情報の提供処理の動作を示すフローチャートである。
【００４６】
本発明の通行者動態情報の提供処理には、リアルタイムのデータ提供形態と、定期的なデータ提供形態とを含んでいる。
【００４７】
リアルタイムのデータ提供形態としては以下の形態がある。
【００４８】
まず、第１の形態としては、動態情報管理サーバ３０の制御部３１は、予め定めた条件（例えば、データ収集場所毎の直近２４時間の男女別，年代別，職業別，居住地区別通行人数のデータ提供）を基に、定期的（例えば、１時間毎）に動態情報データベース３２１や動態情報収集装置データベース３２３を参照して検索，集計し、必要なデータを生成，提供する形態がある。これらの提供データについては、例えば、動態情報管理サーバ３０がネットワーク１００上に開設している通行者動態情報提供サイトにおいて常時オンラインで閲覧可能にしておく（図７のステップＢ１，Ｂ２）。
【００４９】
また、リアルタイムのデータ提供形態の第２の形態としては、取引先が取引先端末４０から動態情報管理サーバ３０がネットワーク１００上に開設している通行者動態情報提供サイトにアクセスし、自分の必要とするデータをキーワードにより検索要求し、制御部３１がこのキーワードを基に、動態情報データベース３２１や動態情報収集装置データベース３２３を参照して求められている通行者数データを検索し、検索したデータを集計して取引先端末４０にオンラインで提供する形態がある（図７のステップＢ１，Ｂ２）。
【００５０】
なお、以上の形態において、環境情報データベース３２２に格納されている気象情報やイベント情報と、収集期間，場所，個人情報との組み合わせによる通行者数データを検索，集計して提供するようにすることも可能である。例えば、収集期間／場所／気象情報、収集期間／場所／イベント情報、収集期間／場所／気象情報／イベント情報、収集期間／場所／個人情報／気象情報、収集期間／場所／個人情報／イベント情報、収集期間／場所／個人情報／気象情報／イベント情報、収集期間／場所／個人情報のそれぞれの組み合わせによる通行者数データを提供する。この場合、制御部３１は、動態情報データベース３２１，動態情報収集装置データベース３２３および環境情報データベース３２２を参照し、検索，集計を行うことになる。
【００５１】
次に、定期的なデータ提供形態について説明する。
【００５２】
定期的にデータ提供を受信したい取引先は、取引先端末４０から動態情報管理サーバ３０がネットワーク１００上に開設している通行者動態情報提供サイトにアクセスし、要求条件登録メニューにおいて、図５に示すように、取引先ＩＤ，メールアドレス，要求条件，対象地域を入力する。制御部３１は、入力された情報を要求条件データベース３２４に登録する。制御部３１は、予め定めた一定期間毎（例えば、一ヶ月毎）に要求条件データベース３２４を参照し、それぞれの要求条件に対応したデータを、動態情報データベース３２１，環境情報データベース３２２，動態情報収集装置データベース３２３を参照し、収集期間，場所と個人情報，気象情報，イベント情報の少なくともいずれかとの組み合わせによる通行者数データを検索，集計し、電子メールにより取引先端末４０に送信する。定期的に提供されるデータの例としては、図７に示すように、過去１年間の特定地域の日別・天気別・通行者数合計や、過去３ヶ月の時間帯別通行者数合計、過去１ヶ月の時間帯別の男性社会人の通行者数等がある（図７のステップＢ３，Ｂ４）。
【００５３】
なお、以上の説明においては、個人情報に含まれる生年月日から年齢を算出する機能を動態情報収集装置２０が備えるとして説明したが、動態情報収集装置２０は生年月日のままの個人情報を動態情報管理サーバ３０に送信し、動態情報管理サーバ３０の制御部３１が年齢を算出して動態情報データベース３２１に登録するようにしてもよい。
【００５４】
また、通行者携帯端末１０のＲＦＩＤ１１に記録する個人情報として生年月日の代わりに年齢を記録し、動態情報収集装置２０または動態情報管理サーバ３０における年齢算出機能を省くようにしてもよい。
【００５５】
【発明の効果】
本発明は、携帯電話機等の携帯端末に無線タグを内蔵し、この無線タグに記録された個人情報を動態情報収集装置のタグリーダーにより読み取って動態情報管理サーバに通行者情報として蓄積するようにしたため、殆どの人が携帯電話機を携帯している昨今、信頼性の高い通行者動態情報の収集が自動的に行えるという効果がある。
【００５６】
また、本発明は、通行者数データの検索，提供を日時や場所，個人情報だけでなく、気象情報（天気，気温等）やイベント情報も組み合わせた形で行うようにしたため、幅広いデータの提供が行えるという効果がある。
【図面の簡単な説明】
【図１】本発明の一実施の形態の構成を示す図である。
【図２】動態情報データベース３２１に格納されるデータの一例を示す図である。
【図３】環境情報データベース３２２に格納されるデータの一例を示す図である。
【図４】動態情報収集装置データベース３２３に格納されるデータの一例を示す図である。
【図５】要求条件データベース３２４に格納されるデータの一例を示す図である。
【図６】本発明の一実施の形態における通行者動態情報の収集処理の動作を示すフローチャートである。
【図７】本発明の一実施の形態における通行者動態情報の提供処理の動作を示すフローチャートである。
【符号の説明】
１０    通行者携帯端末
１１    ＲＦＩＤ
２０    動態情報収集装置
２１    制御部
２２    ＩＤタグリーダー
２３    計時部
３０    動態情報管理サーバ
３１    制御部
３２    記憶装置
３２１    動態情報データベース
３２２    環境情報データベース
３２３    動態情報収集装置データベース
３２４    要求条件データベース
４０    取引先端末
１００    ネットワーク
【図１】
2004362038.tif 000003
【図２】
2004362038.tif 000004
【図３】
2004362038.tif 000005
【図４】
2004362038.tif 000006
【図５】
2004362038.tif 000007
【図６】
2004362038.tif 000008
【図７】
2004362038.tif 000009